(57)【要約】      （修正有）【課題】放射線漏洩を面方式で測定することにより、測定漏れの無い確実な測定の実現、測定作業性の簡易化の実現が可能な検査方法及び検査装置を提供する。【解決手段】放射線測定器を一列に並べた放射線測定器群を、測定対象面である壁面や床面又は天井面に沿って移動させながら放射線を測定することにより、測定対象面の全面を、面方式で測定漏れ無く測定するようにする。検査した面積の範囲内では検査漏れのない確実な検査が可能である。また面検査方式であり、各測定点ごとに装置をセットする必要がなく、測定作業も極めて簡略化され、検査時間の大幅な短縮、作業員の大幅な負担軽減を実現することが可能である。更に、建築工事の途中において検査が行え、補修作業が容易である。【選択図】図２
2015102480.tif 000002
【特許請求の範囲】
【請求項１】
放射線測定器を一列に並べた放射線測定器群を、測定対象面である壁面や床面又は天井面に沿って移動させながら放射線を測定することにより、測定対象面の全面を測定漏れ無く測定するようにした放射線漏洩検査方法。
【請求項２】
測定対象面が放射線群の長手方向寸法よりも大きい場合は、一回目で測定対象面の全長を測定し、二回目は残りの未測定の測定対象面を放射線測定器群を移動させながら測定することにより、測定対象面の全面を測定漏れ無く測定するようにした放射線漏洩検査方法。
【請求項３】
放射線測定器を所定間隔ごとに一列に配置した放射線測定器群と、該放射線測定器群を収納するケース本体とから成る放射線漏洩検査装置。
【請求項４】
放射線測定器群が２個以上で１０個以内であり、携帯型のものである請求項３に記載の放射線漏洩検査装置。
【請求項５】
ケース本体が放射線測定器群の長手方向の両サイドに配置されたスライドレールに跨って取り付けられており、ケース本体が放射線測定器群の長手方向にスライドして位置調節が行えるように構成されている前記請求項３に記載の放射線漏洩検査装置。
【請求項６】
両サイドのスライドレールはアウターケーシングを構成し、当該アウターケーシングの下端面及び前端面には車輪が取り付けられている前記請求項５に記載の放射線漏洩検査装置。
【発明の詳細な説明】
【技術分野】
【０００１】
本発明は、病院等の医療機関におけるＸ線検査やラジオアイソトープ（放射線同位元素）を用いた治療等の放射線源のある室からの放射線の漏洩を、面走査方式で検査する検査方法及び検査装置に関するものである。
【背景技術】
【０００２】
病院等の医療機関においては、放射線を用いた検査、治療が行われている。例えば、内臓の状態を診察するために、医師は、触診、問診等の他にレントゲン室において撮影した胸部や腹部のＸ線画像、血液検査結果、尿検査結果等を参考にして総合的に判断している。一つの病院において、Ｘ線画像を撮影する回数は、一日で数十回〜数百回となり、大きな大学付属病院や総合病院であると膨大な回数になる。
一方、レントゲン室の周囲は廊下や他の検査室、待合室であったり、また上下の階が廊下や病室であったり、診察室であったりする。そのため、レントゲン室から放射線が漏れ出ないように漏洩防止対策を施すことは非常に重要である。
放射線の漏洩防止対策としては、鉛板を貼るのが一般的である。鉛板を介在させることで放射線を遮断し、レントゲン室からその周囲の廊下や病室等へ放射線が透過しないようにしている。
【０００３】
ところが、レントゲン室を構築する場合において、出入りのためのドア工事や電気配線、照明スイッチやコンセントボックスの設備工事が必要であり、また水道配管、空調配管、衛生配管等の各種配管工事等も必要である。これらの設備工事や配管工事を行うためには、壁面に開口を形成しなければならない。これらの開口には、それぞれ放射線漏洩のための鉛板の敷設工事を個別に行っている。ところが、職人の技能差や施工ミス等の人為的要素に起因して放射線漏れが発生する。
【０００４】
そのため、建築工事が一旦、終了した時点でサーベイメータを使用して放射線の漏洩検査を行っている。その検査方法については、特許文献１に詳細に記載されている。特許文献１は、一般社団法人  日本画像医療システム工業会が平成２５年３月に発行した「エックス線治療室の管理区域漏洩線量測定マニュアル」である。
【０００５】
前記特許文献１に記載によれば、管理区域境界外側の隔壁等を適当な間隔で測定するようにしている。また測定器（電離箱式サーベイメータ等）は、床から１ｍの高さとし、隔壁外側の表面に対して垂直に向けて測定するようにしている。更に、放射線源に最も近い場所、利用線錐側の隔壁、防護扉周囲及び召し合わせ部分、観察窓の取付部分、ケーブルピット、換気扇、その他開口部等は念入りに測定するようになっている。
【０００６】
しかも、特許文献１の付録図面には、多数のエックス線室の管理区域境界外側の具体的な測定点が丸付き数字で表されている。この付録図面によれば、従来の放射線漏洩検査は、エックス線室の前後左右及び上下の各隔壁の壁面において、選択した２０〜３０数か所でスポット的に測定を実施している。
【先行技術文献】
【特許文献】
【０００７】
【特許文献１】エックス線治療室の管理区域漏洩線量測定マニュアル（一般社団法人  日本画像医療システム工業会  平成２５年３月発行）
【発明の概要】
【発明が解決しようとする課題】
【０００８】
前述したとおり、エックス線室には、出入りのためのドア工事や電気配線、照明スイッチやコンセントボックスの設備工事及び水道配管、空調配管、衛生配管等の配管工事のために、壁面に開口が形成されるので、これらの開口に対する放射線漏洩防止対策が不十分であると、これらの開口から放射線が漏洩することになる。
漏洩防止対策は、職人の技能差や施工ミス等の人為的要素に起因して不十分となるので、放射線漏洩が発生することは避けることが出来なかった。
【０００９】
このように、人為的要素に起因して放射線漏洩事故が発生しているにも拘らず、前記特許文献１に示すように、サーベイメータを使用してスポット的にエックス線室の管理区域から漏洩する放射線を測定する方法では、測定点から外れた領域で放射線の漏洩があってもこれを検知することはできないという致命的な欠点があった。
【００１０】
またスポット的に測定する方法では、連続した測定ができず、それぞれの測定点ごとに測定器であるサーベイメータを設置して測定する必要があり、測定作業が煩雑であるという欠点があった。
【００１１】
更に、従来の放射線漏洩検査は、放射線源を設置した後の設備工事、建築工事の終了後に行っていた。そのため、放射線の漏洩があったときは、管理区域境界壁面を取り壊して漏洩防止加工を隙間なく施し、その後壁面を再構築しなければならないという二度手間を要し、工期が延び、コストも上がるという欠点があった。
【００１２】
本発明は、従来の前記問題点に鑑みてこれを改良除去したものであって、放射線漏洩を面方式で測定することにより、測定漏れの無い確実な測定の実現、測定作業性の簡易化の実現が可能な検査方法及び検査装置を提供せんとするものである。
【課題を解決するための手段】
【００１３】
前記課題を解決するために本発明が採用した請求項１の手段は、放射線測定器を一列に並べた放射線測定器群を、測定対象面である壁面や床面又は天井面に沿って移動させながら放射線を測定することにより、測定対象面の全面を測定漏れ無く測定するようにした放射線漏洩検査方法である。
【００１４】
本発明が採用した請求項２の手段は、測定対象面が放射線群の長手方向寸法よりも大きい場合は、一回目で測定対象面の全長を測定し、二回目は残りの未測定の測定対象面を放射線測定器群を移動させながら測定することにより、測定対象面の全面を測定漏れ無く測定するようにした放射線漏洩検査方法である。
【００１５】
本発明が採用した請求項３の手段は、放射線測定器を所定間隔ごとに一列に配置した放射線測定器群と、該放射線測定器群を収納するケース本体とから成る放射線漏洩検査装置である。
【００１６】
本発明が採用した請求項４の手段は、放射線測定器群が２個以上で１０個以内であり、携帯型のものである請求項３に記載の放射線漏洩検査装置である。
【００１７】
本発明が採用した請求項５の手段は、ケース本体が放射線測定器群の長手方向の両サイドに配置されたスライドレールに跨って取り付けられており、ケース本体が放射線測定器群の長手方向にスライドして位置調節が行えるように構成されている前記請求項３に記載の放射線漏洩検査装置である。
【００１８】
本発明が採用した請求項６の手段は、両サイドのスライドレールはアウターケーシングを構成し、当該アウターケーシングの下端面及び前端面には車輪が取り付けられている前記請求項５に記載の放射線漏洩検査装置である。
【発明の効果】
【００１９】
請求項１の発明にあっては、例えば、縦一列に並べた放射線測定器群を移動させながら放射線の線量を測定することにより、壁面の全面を面方式で測定することができる。放射線測定器群が壁面の高さ方向の全長に亘って、所定間隔ごとに配置されている場合は、前記壁面の全面を一回の横移動で測定漏れ無く測定することが可能である。
【００２０】
請求項２の発明にあっては、放射線測定器群が例えば、壁面の高さ方向の途中までしか届かない場合は、最初に床面から放射線測定器群の高さ寸法分までの面を横移動させて測定する。続いて、残りの壁面に対して放射線測定器群を対応配置し、その状態で横移動させることで、全ての壁面の放射線漏れを測定することが可能である。
【００２１】
請求項３の発明は、請求項１の方法の発明を実施する装置の発明である。
【００２２】
請求項４の発明は、携帯型（ハンディータイプ）の装置であり、小面積の測定対象面の放射線漏洩を検査する場合に適している。作業員が手で持ちながら上下又は左右等へ移動させて、放射線漏洩を面方式で検査することが可能であり、極めて容易に且つ確実に測定対象面の全面を測定することができる。
【００２３】
請求項５の発明は、請求項請求項２の方法の発明を実施するための装置の発明であり、放射線測定器群が長手方向にスライド自在である。従って、一回目の放射線量の測定後の二回目の残りの壁面等に対する測定をする場合に、容易に対処することが可能である。
【００２４】
請求項６の発明は、請求項５の発明における移動手段を具体化するものであり、アウターケーシングの少なくとも下端面に車輪が取り付けられている。また階下に放射線源室がある場合は、放射線測定器群を下向きにして、移動させることが必要であり、アウターケーシング前端面に支持脚を介して車輪を取り付け、移動させるようにしている。
【図面の簡単な説明】
【００２５】
【図１】本発明の一実施の形態に係る検査装置を示すものであり、図（Ａ）は正面図、図（Ｂ）は側面図である。図面である。
【図２】本発明の一の実施の形態に係る検査装置で壁面及び階下の天井を検査している状態を同時に示す縦断面図である。
【発明を実施するための形態】
【００２６】
以下に、本発明の構成を図１の図（Ａ）及び図（Ｂ）は、本発明の一実施の形態に係る放射線漏洩検査装置１を示すものであり、図（Ａ）は正面図、図（Ｂ）は左側面図である。同図に示す如く、検査装置１は、装置本体を成す筐体２の前面側に、電離箱式等のサーベイメータ３が縦一列に多数設置されている。サーベイメータ３は、その検知能力にもよるが、市販されている一般的な製品のものでは１０ｃｍ間隔で配置すればよい。従って、一列の設置数は、通常の室内高さを２ｍとすると、２０個ほどが必要であり、２．５ｍであれば２５個程度が必要である。これは任意に設定することが可能である。
【００２７】
サーベイメータ３が設置された筐体２は、アウターケーシング４に外嵌装着されている。アウターケーシング４は、筐体２の左右側面と対向する面がスライドレールになっており、筐体２はアウターケーシング４に対して上下方向へスライド自在になっている。そして、任意のスライドした高さ位置で、アウターケーシング４及び筐体２に設けたピン孔（図示せず）へアウターケーシング４の外側からピンを差し込む方式等で固定できるようになっている。
【００２８】
またアウターケーシング４の下端面には、移動自在な車輪５が少なくとも前後左右の四か所に取り付けられている。この車輪５は、その一部がアウターケーシング４の内部側に配置されており、床面からの一番下に位置するサーベイメータ３の高さ寸法が１０ｃｍ以上にならないようになされている。
更に、アウターケーシング４の前端面には、支持脚６がその上下左右の四か所に突出して取り付けられており、支持脚６の先端側には車輪７が転動自在に取り付けられている。
【００２９】
次に、このように構成された放射線漏洩検査装置１の動作態様を説明する。先ず、漏洩検査は、放射線室の管理区域境界面に鉛板等の放射線を遮断する部材を設置した直後に行う。つまり、放射線の管理区域境界面に鉛板を取り付けた後であって、更にその外側に壁面の仕上げ工事を行う前の建築工事の途中段階で行う。これであれば、放射線漏洩箇所があったとしても、当該漏洩箇所へ鉛板を貼り付けるその補修作業が壁面をめくることなく、容易に行えるからである。
漏洩検査は、図２に示すように、放射線室Ａ内に連続してＸ線を発生することのできる装置８を設置して行う。
【００３０】
放射線室Ａの壁面の漏洩検査を行う場合は、放射線室Ａ内の連続Ｘ線発生装置８を動作させた状態で、先ず、図２の左側の壁面Ｌに示すように、漏洩検査装置１を配置する。検査装置１は、サーベイメータ３が壁面Ｌに対して直交するように対面させると共に、壁面Ｌに対して離れ過ぎないように近接して配置し、壁面Ｌの一方側の端から開始するようにする。漏洩検査は、前記検査装置１を壁面Ｌに沿って順次移動させて壁面Ｌの他方側の端へ移動させればよい。一列に並んだサーベイメータ３群は、それぞれのサーベイメータ３がその測定能力に応じて漏れの無い検査ができるように所定間隔で配置されている。
【００３１】
従って、前記検査装置１を壁面Ｌの一方側から他方側へ移動させるだけで、床面から検査装置１の最も上位に位置するサーベイメータ３の測定可能領域までの高さ寸法分だけ、壁面Ｌの全面の放射線の漏洩検査を一気に行うことができる。
【００３２】
壁面の高さ寸法が検査装置１のサーベイメータ３群の高さ寸法よりも高い場合は、先ず、前記壁面Ｌの検査と同じ要領で床面から所定の高さ寸法までの面方式の放射線漏洩検査を行う。然る後に、図２の右側壁面Ｒに示すように、検査装置１の筐体２をスライドさせてサーベイメータ３群の測定可能範囲が天井まで届くようにし、この状態で検査装置１を壁面Ｒの一方側から他方側へ移動させながら連続して放射線の漏洩検査を行えばよい。二回目の検査でも、検査されない領域が形成される極めて高い壁面や床面などにあっては、三回若しくは四回等の複数回の検査を行えばよい。
なお、二回目以降に行う検査では、最後の前の回に行った場合と重複して検査される領域が形成されることがある。そこで、各サーベイメータ３を個別にＯＮ，ＯＦＦできるようにし、重複する部分のサーベイメータ３はＯＦＦにして二回目以降の最後の回の測定を行うようにしてもよい。
【００３３】
このように本実施の形態の検査装置１は、縦列に並べたサーベイメータ３群を横方向へ移動させて面方式で放射線の漏洩検査を行うので、検査した面積の範囲内では検査漏れのない確実な検査が可能である。また検査装置１を移動させるだけで行えるので、各測定点ごとに装置をセットする必要がなく、測定作業も極めて簡略化され、検査時間の大幅な短縮、作業員の大幅な負担軽減を実現することが可能である。更に、鉛板の敷設工事が完了した時点の建築工事の途中において、測定が可能であるので、鉛板の敷設工事の不良個所があった場合でも、壁面を剥がして補修作業をする必要がなく、容易に対処することが可能である。
【００３４】
図２に示すように、放射線室Ａの二階部分の場合は、検査装置１のサーベイメータ３群が下を向くように倒した状態で、測定すればよい。その場合に、アウターケーシング４の前端面に取り付けた支持脚６及び車輪７を利用して、装置本体１を横方向へ移動させるようにすれば便利である。
【００３５】
更に、別の実施態様として、携帯型（ハンディータイプ）の放射線漏洩検査の場合がある。この携帯型では、サーベイメータの重量、大きさにもよるが、測定作業員が一人で持ち運べる２個以上１０個以内の複数個のサーベイメータを一列に配列するようにしている。使用に際しては、携帯型の放射線漏洩検査装置を手で持ちながら、これを縦方向又は横方向等へ移動させて、面方式で放射線の漏洩を検査する。狭い面積の測定対象面であれば、この携帯型のものでも測定漏れ無く、全面を面走査方式で確実に検査することが可能である。
【産業上の利用可能性】
【００３６】
ところで、本発明は上述した実施の形態に限定されるものではなく、適宜の変更が可能である。例えば、アウターケーシングを無くし、サーベイメータ３を一列に配置した筐体２を高さの低い台車（図示せず）に載せて移動しながら測定するようにしてもよい。またサーベイメータ３群の筐体２を高い台車へ載せて、天井から所定寸法下までの範囲の壁面を検査するようにしてもよい。
更に、放射線の漏洩検査は、鉛板を設置した後であって、建築工事の途中において行うようにした場合を説明したが、建築工事が完了した後であって、引き渡し直前の段階で行うようにすることも可能である。
【符号の説明】
【００３７】
１…放射線漏洩検査装置
２…筐体
３…サーベイメータ
４…アウターケーシング
５…車輪
６…支持脚
７…車輪
８…連続Ｘ線発生装置
【図１】
2015102480.tif 000003
【図２】
2015102480.tif 000004